(57)【要約】【課題】機器の使用者に臨場感を与えることができる携帯電子機器を提供する。【解決手段】携帯電子機器１は、音声出力部７と、音声出力部７の指向方向とほぼ同一方向に向けて送風を行う送風部２０と、音声出力部７から出力される音声に連動して送風部２０を制御する制御部と、を備える。制御部は、音声出力部７から出力される音声の強弱に同期して送風部２０からの風速を制御する。また、バイブモータ３７の回転軸５０をテーパ状に形成し、偏心重り５３を可動構造（スライド構造）とし、前記偏心重り５３を電磁コイル３９によりスライドさせることにより、バイブモータのモータとファンのモータとを兼用する。【選択図】図１
2008011521.tif 000002
【特許請求の範囲】
【請求項１】
音声出力部と、
前記音声出力部の指向方向とほぼ同一方向に向けて送風を行う送風部と、
前記音声出力部から出力される音声に連動して前記送風部を制御する制御部と、
を備えることを特徴とする携帯電子機器。
【請求項２】
前記制御部は、前記音声出力部から出力される音声の強弱に同期して前記送風部からの
風速を制御することを特徴とする請求項１に記載の携帯電子機器。
【請求項３】
画像及び／又は文字を表示する表示部を備え、
前記制御部は、前記表示部に表示される画像及び／又は文字に連動して前記送風部を制
御することを特徴とする請求項１又は請求項２に記載の携帯電子機器。
【請求項４】
前記送風部は、バイブレータとファンと電磁クラッチとスピーカとから形成され、
更に前記電磁クラッチは、コイルと前記バイブレータの回転軸に対してスライド可能な偏心重りとスピーカを構成する磁石から形成され、前記バイブレータを振動させるように前記偏心重りの位置を制御し、前記携帯電子機器を振動させる第１の機能と、
前記電磁クラッチは、前記バイブレータを振動させないように前記偏心重りの位置を制御し、かつ前記ファンによる送風を行う第２の機能を有することを特徴とする請求項１から請求項３のうちいずれか一項に記載の携帯電子機器。
【請求項５】
無線信号を送受信する無線通信部を備え、
前記制御部は、前記無線通信部の着信に連動して前記送風部を制御することを特徴とす
る請求項１から請求項４のうちいずれか一項に記載の携帯電子機器。
【発明の詳細な説明】
【技術分野】
【０００１】
本発明は、音声出力部を備える携帯電子機器に関する。
【背景技術】
【０００２】
ゲームプレイヤーに風の体感性を与えるため、表示される画像に同調させた送風機を取
り入れたゲーム機が提案されている（特許文献１参照）。
【０００３】
また、携帯型ゲーム機のディスプレイ表示面に重なるように扇風機を配置することで、
羽根の回転に応じた視覚的現象を利用したものが提案されている（特許文献２参照）。
【０００４】
更に、携帯電話端末等の内部を冷却するファン及びバイブレータを電磁クラッチ機構により切り換える構成が提案されている。（特許文献３参照）
【特許文献１】特開２０００−２１８０３８号公報
【特許文献２】特開２００４−２２６６３５号公報
【特許文献３】特開２０００−２５２６６７号公報
【発明の開示】
【発明が解決しようとする課題】
【０００５】
ところで、音声出力部を備える携帯電子機器においては、機器の小型化軽量化と機器の
使用者に臨場感を与えることの両立が要請されている。
【０００６】
しかしながら、特許文献１に開示された技術は、いわゆる据え置き型ゲーム機を対象と
するものであり、携帯電子機器を対象としたものではない。また、特許文献２に開示され
た技術は、視覚的効果を得ることを目的とするものであり、機器の使用者に臨場感を与え
ることができないという問題がある。
【０００７】
本発明は、上述した事情に鑑みてなされたもので、機器の使用者に臨場感を与えること
ができる携帯電子機器を提供することを目的とする。
【課題を解決するための手段】
【０００８】
本発明に係る携帯電子機器では、上記課題を解決するために以下の手段を採用した。
【０００９】
本発明に係る携帯電子機器は、音声出力部と、前記音声出力部の指向方向とほぼ同一方
向に向けて送風を行う送風部と、前記音声出力部から出力される音声に連動して前記送風
部を制御する制御部と、を備えることを特徴とする。
【００１０】
また、前記制御部は、前記音声出力部から出力される音声の強弱に同期して前記送風部
からの風速を制御することを特徴とする。
【００１１】
また、画像及び／又は文字を表示する表示部を備え、前記制御部は、前記表示部に表示
される画像及び／又は文字に連動して前記送風部を制御することを特徴とする。
【００１２】
また、無線信号を送受信する無線通信部を備え、前記制御部は、前記無線通信部の着信
に連動して前記送風部を制御することを特徴とする。
【００１３】
また、前記送風部は、バイブレータとファンと電磁クラッチとスピーカとから形成され、更に前記電磁クラッチは、コイルと前記バイブレータの回転軸に対してスライド可能な偏心重りとスピーカを構成する磁石から形成され、前記バイブレータを振動させるように前記偏心重りの位置を制御し、前記携帯電子機器を振動させる第１の機能と、前記電磁クラッチは、前記バイブレータを振動させないように前記偏心重りの位置を制御し、かつ前記ファンによる送風を行う第２の機能を有することを特徴とする。
【００１４】
また、前記送風部は、筐体に内設される発熱部品を冷却する冷却部を兼ねることを特徴
とする。
【発明の効果】
【００１５】
本発明によれば以下の効果を得ることができる。
【００１６】
音声出力部から発せられる音声に連動して送風部を作動させることで、機器の使用者に
触覚的刺激を与えて、臨場感を体感させることが可能となる。
【００１７】
また、音声出力部から出力される音声の強弱に同期して送風部からの風速を制御するこ
とで、臨場感を増幅させることができる。
【００１８】
また、表示部に表示される画像等に連動して送風部を制御することで、使用者に対して
、画像に関連した臨場感を与えることができる。
【００１９】
また、無線通信部の着信に連動して送風部を制御することで、使用者に与える刺激が少
なくなるので、使用者に不快感を与えることが殆どなくなる。
【００２０】
また、複合装置を構成することで、バイブレータのモータとファンのモータと、受話用スピーカとを兼用することが可能となる。
【発明を実施するための最良の形態】
【００２１】
以下、本発明の携帯電子機器の実施形態について図を参照して説明する。
【００２２】
図１は、本発明の実施形態に係る携帯電話機１の概略構成を示す正面図である。
【００２３】
携帯電話機１は、第一筐体２と、この第一筐体２の厚さ方向に重ね合わせ可能な第二筐
体３と、これら２つの筐体２，３の基端部２ａ，３ａを折り畳み（回転）自在に相互に連
結するヒンジ部５等と、を備えている。
【００２４】
第一筐体２には、通話キー、終話キー等の各種の押下操作可能な複数の操作キー１１を
備えたキー操作部１０、及び通話用のマイクロフォン８等が設けられている。
【００２５】
操作キー１１は、２つの筐体２，３を相互に重ね合わせた状態において第二筐体３に対
向する正面２ｃに露出している。マイクロフォン８は、先端部２ｂに配されており、正面
２ｃから内部空間に貫通する開口部２ｄを介して外方に露出している。
【００２６】
なお、第一筐体２の内部には、無線通信部３２、電源制御部３４及び制御部３６等が形
成された電子回路基板やバッテリー３３等が配置される（図２参照）。
【００２７】
第二筐体３には、各種情報を表示する表示領域１６を有するＬＣＤ（Liquid Crystal D
isplay）或いはＥＬ（Electro Luminescence）ディスプレイ等のからなる表示部１５、及
び通話用のスピーカ７等が設けられている。
【００２８】
表示部１５の表示領域１６は、２つの筐体２，３を相互に重ね合わせた状態において第
一筐体２に対向する正面３ｃに露出している。スピーカ７は、先端部３ｂに配されており
、正面３ｃから内部空間に貫通する開口部３ｄを介して外方に露出している。
【００２９】
更に、第二筐体３の正面３ｃには、ファン２０が露出して配されている。ファン２０は
、スピーカ７の近傍に配されており、スピーカ７から発せられる音声の指向方向（第二筐
体３の正面３ｃに直交する方向）に向けて送風を行うものである。
【００３０】
ファン２０は、ファン２０は第二筐体３に内設された不図示のモータに連結し、回転駆
動される。そして、このモータは制御部３６により制御され、ファン２０の回転速度が任
意に変更可能となっている。すなわち、第二筐体３の正面３ｃに直交する方向に向けて、
ファン２０から任意の風速で送風を行うことが可能となっている。
【００３１】
図２は、本発明の実施形態に係る携帯電話機１の機能ブロック図である。
【００３２】
携帯電話機１は、スピーカ７、マイクロフォン８、キー操作部１０、アンテナ３１、無
線通信部３２、バッテリー３３、電源制御部３４、メモリ３５、ファン２０及びこれらを
統括的に制御する制御部３６等を有している。
【００３３】
無線通信部３２は、アンテナ３１を介して、他の携帯電話機等との間で通話を行ったり
、インターネット網を介して各種サーバと接続して電子メールやホームページ等の各種情
報を送受信したりするものである。
【００３４】
また、電源制御部３４は、バッテリー３３の充電及び放電等を制御するものである。
【００３５】
次に、制御部３６によるファン２０の制御方法について説明する。
【００３６】
ファン２０は、スピーカ７から発せられる音声に連動して作動するように制御される。
【００３７】
つまり、スピーカ７からは通話相手の話し声が発せられるが、これと同時に、スピーカ７
の近傍に配置されたファン２０から携帯電話機１の使用者の耳元に向けて風が送られる。
【００３８】
しかも、通話相手の話し声に連動して風が送られるので、使用者は触覚的刺激を受け、あ
たかも通話相手が耳元でささやいているかのような臨場感を体感するようになる。
【００３９】
更に、ファン２０は、スピーカ７から発せられる音声の強弱に同期して、その回転速度
が制御される。すなわち、スピーカ７から大きな音が発せられた場合には、ファン２０は
高速回転し、使用者に向けて強い風速の風が送られる。一方、スピーカ７から小さな音が
発せられた場合には、ファン２０は低速回転し、使用者に向けて微弱な風が送られる。
【００４０】
これにより、使用者は、通話相手が耳元でささやいているかのような臨場感をより実感
することができる。
【００４１】
具体的には、以下の様にして、スピーカ７から発せられる音声の強弱に同期して、ファ
ン２０の回転速度が制御される。
【００４２】
音声の強弱と風力の強弱を連動させる方法として、携帯電話機１において、スピーカ７
から出力する音声波形の振幅を量子化し、段階的な音圧データを求める。そして、その音
声データに基づいて、ファン２０の出力（回転速度）を決定し、駆動する。つまり、スピ
ーカ７から出力する音声の音圧データの値をそのままファン２０の風力の強弱に対応させ
て作動する。
【００４３】
また、他の方法としては、通話相手の携帯電話機において、通話相手がマイクに向けて
発した音声をデータ化すると同時に、その音声の音声波形から段階的な音圧データを求め
る。そして、携帯電話機１において、通話相手の携帯電話機から発信された音声データと
音圧データとを受信し、この音圧データに対応するようにファン２０の出力を決定し、駆
動する。
【００４４】
また、ファン２０は、表示部１５に表示される画像や文字等に連動して作動するように
制御される。
【００４５】
携帯電話機１は、通話のみに利用されるのではなく、表示部１５に動画等を表示して鑑
賞する目的で利用されることも少なくない。このため、表示部１５に表示される画像や文
字等に連動してファン２０を作動させることにより、利用者に触覚的刺激を与えて、臨場
感を体感させることが可能となる。
【００４６】
例えば、表示部１５に、そよ風が吹く景色が表示された場合には、ファン２０を低速回
転させて使用者に向けて微弱な風を送ることで、利用者に表示部１５に表示された場所に
いるような臨場感を体感させることが可能となる。
【００４７】
また、ファン２０は、無線通信部３２が着信を検出した際に、これに連動して作動する
ように制御される。
【００４８】
通常、携帯電話機１は、着信があった場合には、スピーカ７からメロディーを発したり
、不図示のバイブレータを作動させたり、筐体２，３の表面に配置したＬＥＤ等を点滅発
光させたりすることで、使用者に着信があったことを報知する。
【００４９】
しかし、上述したように、携帯電話機１の表示部１５に動画等を表示して鑑賞している
時には、携帯電話機１からその画像とは全く関連のない音・振動・光を発すると、使用者
が不快に感じてしまうことは少なくない。つまり、使用者にとっては、音・振動・光によ
って、画像の鑑賞の邪魔をされたくないのである。
【００５０】
そこで、上述したように、着信を検出した際にファン２０を作動させて、使用者に着信
の存在を報知する。
【００５１】
具体的には、図３に示すような手順で処理を行う。なお、図３は、着信を報知する際の
処理を示すフローチャート図である。
【００５２】
まず、ステップＳ１において、携帯電話機１の利用者は、表示部１５に表示されるメニ
ュー画面にしたがって操作キー１１を操作して、着信報知の方法として、ファン２０を用
いる方法を選択・設定する。
【００５３】
次に、携帯電話機１に着信がある（ステップＳ２）と、携帯電話機１の制御部３６は設
定された報知方法がいずれの方法であるかを確認する（ステップＳ３）。そして、ファン
２０が選択・設定されていた場合には、ファン２０を作動して（ステップＳ４ａ）、利用
者に向けて送風を行う。
【００５４】
ユーザがファン２０からの送風に気がつき、操作キー１１を操作（受信操作）する（ス
テップＳ５ａ）と、制御部３６はファン２０を停止すると共に受信処理（通話処理）を行
う（ステップＳ６ａ）。
【００５５】
このように、使用者に向けて送風を行って、着信を報知する方法は、音・振動・光を発
する方法よりも、動画等の鑑賞の邪魔になりづらいので、使用者が不快に感じてしまうこ
とが殆どない。
【００５６】
なお、着信を報知する際のファン２０の制御は、回転と停止を短時間のうちに数回繰り
返す間欠動作等が好ましい。利用者に臨場感を与える場合の制御方法と明らかに異なる制
御方法を用いることで、確実に利用者に着信を報知することができる。
【００５７】
また、利用者が任意に着信報知の方法を選択・設定する場合に限らず、例えば、表示部
１５に表示する画像等の種類に応じて、制御部３６が自動的にファン８０を用いる着信報
知方法に切り替えるようにしてもよい。
【００５８】
また、着信報知の方法として、ファン２０からの送風と、スピーカ７からメロディー、
バイブレータの振動或いはＬＥＤ等の点滅発光とを、組み合わせた方法としてもよい。
【００５９】
以下は、本発明のその他の実施形態を図４、図５、図６を用いて説明する。（第１の機能と第２の機能の説明）図４はバイブレータ３７、ファン２０、電磁クラッチ３８およびスピーカ７とを一体化した、複合装置４０の断面構造を示す。５０はモータ３７の回転軸５０の先端は、スピーカ７から数ｍｍ程度離れている。これは、回転軸５０が磁化されることを防ぐことを目的としている。回転軸５０は先の方に行くに従って、テーパを形成している。この構造により、偏心重り５３は回転軸５０に沿って、外部から印加される磁界により磁化されコイル３９またはスピーカのマグネット９の何れかと吸着する。なお偏心重り５３はスピーカ７側に切り欠きを設けているが、コイル３９側であっても良い。偏心重りの材質は軟鉄で形成し、外部磁界が働いているときのみ、外部磁力に応じて磁化される。コイル３９を電流駆動した場合、電流の極性により、偏心重り５３は電磁コイル３９側に吸着する状態５１（偏心重りの状態１：バイブレータとして作動）と、前記電流と逆極性の電流を流すと、電磁クラッチの系全体として（スピーカのマグネットや各要素部品の間隔を含めて）、スピーカのマグネット側へ吸着される５２（偏心重りの状態２：ファンとして作動）上記の様に複合装置を構成することで、バイブモータのモータとファンのモータとを兼用することが可能となる。
【００６０】
図５は、図４での説明した複合装置４０のブロック図で、図２との構成の差異は、クラッチ３８（電磁クラッチ）と、バイブレータのモータ３７とファンもモータ３７とを兼用するモータとを備えているところにある。
【００６１】
上述したように、着信を検出した際にファン２０を作動させて、使用者に着信の存在を報知し、通話時にはファンのみを作動させる。ファンは回転軸に固定されているので、実際には、バイブレータ作動時でも送風は同時になされる。
【００６２】
具体的には、図６に示すような手順で処理を行う。なお、図６は着信を報知し、引き続き通話へ遷移する際の処理を示すフローチャート図である。
【００６３】
まず、ステップＳ１１において、携帯電話機１０の利用者は、表示部１５に表示されるメニュー画面にしたがって操作キー１１を操作して、着信報知の方法として、ファン２０を用いる方法を選択・設定する。
【００６４】
次に、携帯電話機１０に着信がある（ステップＳ２１）と、携帯電話機１の制御部３６は設定された報知方法がいずれの方法であるかを確認する（ステップＳ３１）。そして、バイブモータ３７が選択・設定されていた場合には、バイブモータ３７を作動して（ステップＳ４１ａ）、利用者に対して振動動作を行う。
【００６５】
ユーザがバイブモータの振動に気がつき、操作キー１１を操作（受信操作）する（ス
テップＳ５１ａ）と、制御部３６はバイブモータ３７を停止すると共に受信処理（通話処理）とファン２０の作動を行う（ステップＳ６１ａ）。報知方法にバイブレータを選択しない場合は、スピーカやＬＥＤの作動（ステップＳ４１ｂ）が有効となり、受信操作（ステップＳ５１ｂ）により、スピーカやＬＥＤの作動を停止（ステップＳ６１ｂ）する。
【００６６】
このとき、引き続きファンの作動をさせる設定も可能である。
【００６７】
以上説明したように、本発明に係る携帯電話機によれば、スピーカ７から発せられる音声に連動してファン２０を作動させることで、携帯電話機の使用者に触覚的刺激を与えて、臨場感を体感させることが可能となる。特に、スピーカ７から出力される音声の強弱に同期してファン２０の風速を制御することで、臨場感を増幅させることができる。
【００６８】
また、表示部１５に表示される画像等に連動してファン２０を制御することで、使用者
に対して、画像に関連した臨場感を与えることができる。
【００６９】
更に、無線通信部３２の着信に連動してファン２０を制御することで、使用者に少ない
刺激で着信を報知することが可能となり、使用者に不快感を与えることが殆どなくなる。
【００７０】
なお、上述した実施の形態において示した動作手順、あるいは各構成部材の諸形状や組
み合わせ等は一例であって、本発明の主旨から逸脱しない範囲において設計要求等に基づ
き種々変更可能である。
【００７１】
例えば、上述した実施形態においては、ファン２０をスピーカ７の近傍に配置する場合
について説明したが、これに限らない。携帯電話機の使用者に触覚的刺激を与えること
が可能であれば、ファン２０は、携帯電話機のいずれの場所に配置してもよい。
【００７２】
また、通話相手の音声を発するスピーカ７の他に、メモリ３５に記憶した音楽情報を再
生するためのスピーカを備える場合には、そのスピーカの周辺にファン２０を配置しても
よい。
【００７３】
また、ファン２０の数は、一つに限らず複数であってもよい。
【００７４】
また、ファン２０を筐体２，３の正面２ｃ，３ｃに露出するように配置する必要はない
。ファン２０を筐体２，３内に配置し、筐体２，３の正面２ｃ，３ｃにはファン２０から
の送風を外部に向けて放出するための送風口（正面２ｃ，３ｃから内部空間に貫通する開
口部）を設けるようにしてもよい。
【００７５】
また、ファン２０を筐体２，３内に配置した場合には、ファン２０からの送風（または
送風の一部）により、筐体２，３内に設けられた発熱部品（ＣＰＵ、燃料電池等）を冷却
するようにしてもよい。
【００７６】
また、上述した実施形態においては、携帯電話機について説明したが、例えばＰＤＡ
（Personal Digital Assistants）、携帯型ゲーム機、携帯型音楽プレイヤ、ノートパソ
コンなどの携帯電子機器であってもよい。
【００７７】
また、ファン２０は、必ずしも携帯電話機等の携帯電子機器の筐体に配置する必要は
ない。携帯電話機等の携帯電子機器を載置すると共に、これら携帯電子機器と電気的に
接続して携帯電子機器内のバッテリーを充電したりする充電台やグレードル等にファン２
０を設けてもよい。
【図面の簡単な説明】
【００７８】
【図１】本発明の実施形態に係る携帯電話機１の概略構成を示す正面図である。
【図２】本発明の実施形態に係る携帯電話機１の機能ブロック図である。
【図３】着信を報知する際の処理を示すフローチャート図である。
【図４】本発明の実施形態に係る携帯電話機１０の複合装置の断面図である。
【図５】本発明の実施形態に係る携帯電話機１０の機能ブロック図である。
【図６】着信から通話へ遷移する際の処理を示すフローチャート図である。
【符号の説明】
【００７９】
１…携帯電話機（携帯電子機器）
２…第一筐体  
２ｃ…正面  
３…第二筐体  
５…ヒンジ部  
７…スピーカ（音声出力部）  
８…マイクロフォン
９…マグネット（磁石）
１０…携帯電話機（携帯電子機器）
１５…表示部  
１６…表示領域  
２０…ファン（送風部）  
３２…無線通信部  
３６…制御部  
３７…バイブレータ（バイブモータ、モータ）
３８…クラッチ（電磁クラッチ）
３９…コイル（電磁コイル）
４０…複合装置（複合バイブファンユニット）
５０…モータの回転軸（テーパ付き回転軸）
５１…偏心重りの状態１（バイブレータとして作動）
５２…偏心重りの状態２（ファンとして作動）
【図１】
2008011521.tif 000003
【図２】
2008011521.tif 000004
【図３】
2008011521.tif 000005
【図４】
2008011521.tif 000006
【図５】
2008011521.tif 000007
【図６】
2008011521.tif 000008